【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
複数の構成単位によりそれぞれ構成された複数のコンテンツを代表する各コンテンツ代表画像を第１の方向へ並べて表示するよう制御する第１の表示制御手段と、
前記表示された各コンテンツ代表画像中から一のコンテンツ代表画像を選択する第１のユーザ操作を入力する第１の入力手段と、
前記第１のユーザ操作が入力されたときに、前記一のコンテンツの前記各構成単位を代表する各構成単位代表画像を、前記一のコンテンツ代表画像を始点として前記第１の方向とは異なる第２の方向へ並べて表示するよう制御する第２の表示制御手段と
を具備する情報処理装置。
【請求項２】
請求項１に記載の情報処理装置であって、
前記表示された各構成単位代表画像のうち一の構成単位代表画像を選択する第２のユーザ操作を入力する第２の入力手段と、
前記第２のユーザ操作が入力されたときに、前記一のコンテンツの前記一の構成単位を再生するよう制御する再生制御手段と
を更に具備する情報処理装置。
【請求項３】
請求項２に記載の情報処理装置であって、
前記第１のユーザ操作及び前記第２のユーザ操作を入力するためのマーカーを、前記表示された各コンテンツ代表画像上及び前記各構成単位代表画像上を移動可能に表示するよう制御するマーカー表示制御手段を更に具備する情報処理装置。
【請求項４】
請求項２に記載の情報処理装置であって、
前記コンテンツは複数のフレームで構成された動画像であり、
前記構成単位は前記動画像を複数の区間に区分けするチャプターであり、
前記構成単位代表画像は前記各チャプターの先頭フレームのサムネイル画像であり、
前記第２の表示制御手段は、前記チャプターを前記第２の方向へ時系列順に表示するよう制御し、
前記再生制御手段は、前記第２のユーザ操作が入力されたときに、前記選択された一のチャプターの動画像を前記先頭フレームから再生するよう制御する
情報処理装置。
【請求項５】
請求項１に記載の情報処理装置であって、
前記第１の方向と前記第２の方向とは略直交する情報処理装置。
【請求項６】
請求項１に記載の情報処理装置であって、
前記第２の表示制御手段は、前記各構成単位代表画像を前記第２の方向へ進むに従って縮小して表示するよう制御する情報処理装置。
【請求項７】
請求項４に記載の情報処理装置であって、
前記第２の表示制御手段は、前記動画像の総再生時間中に占める前記各チャプターの各時間間隔を前記各サムネイル画像間の距離に反映させて当該各サムネイル画像を表示するよう制御する情報処理装置。
【請求項８】
請求項３に記載の情報処理装置であって、
前記各コンテンツのカテゴリーを示す複数のカテゴリー画像を前記第１の方向とは異なる第３の方向へ表示するよう制御する第３の表示制御手段と、
前記表示された各カテゴリー画像のうち一のカテゴリー画像を選択する第３のユーザ操作を入力する第３の入力手段と
を更に具備し、
前記マーカー表示制御手段は、前記第３のユーザ操作を入力するためのマーカーを、前記表示された各カテゴリー画像上を移動可能に表示するよう制御し、
前記第１の表示制御手段は、前記第３のユーザ操作が入力されたときに、前記各コンテンツ代表画像を、前記選択された一のカテゴリー画像を始点として前記第１の方向へ表示するよう制御する
情報処理装置。
【請求項９】
請求項８に記載の情報処理装置であって、
前記第１の方向と前記第３の方向とは略平行であり、前記第２の方向は前記第１の方向及び第３の方向と略直交する情報処理装置。
【請求項１０】
請求項４に記載の情報処理装置であって、
前記各コンテンツは放送された動画像であり、
当該情報処理装置は、
前記放送された各動画像を受信する受信手段と、
前記受信された各動画像を所定の条件で前記複数のチャプターに区分けするための区分け手段と、
前記複数のチャプターに区分けされた動画像を記録する記録手段と、
前記各動画像を代表する各動画像代表画像及び前記区分けされた当該各動画像の各チャプターを代表する各チャプター代表画像を記憶する記憶手段と
を更に具備する情報処理装置。
【請求項１１】
請求項１０に記載の情報処理装置であって、
前記区分け手段は、前記受信された動画像中から特徴点情報を抽出し、当該抽出された特徴点情報に基づいて前記各チャプターに区分けするための区分け位置情報を生成する手段を有する情報処理装置。
【請求項１２】
請求項１０に記載の情報処理装置であって、
前記動画像の再生を停止するよう制御する手段と、
前記再生を停止された動画像の停止位置情報を記憶する手段を更に具備し、
前記第２の表示制御手段は、前記停止後に前記動画像を再度再生する場合に、前記停止位置情報を基に、前記動画像中の前回再生が停止された位置のフレームのサムネイル画像を前記各チャプター代表画像に並べて表示するよう制御する手段を有し、
前記第２の入力手段は、前記再生停止位置のフレームのサムネイル画像を選択する第４のユーザ操作を入力する手段を有し、
前記再生制御手段は、前記第４のユーザ操作が入力されたときに、前記動画像を前記再生停止位置のフレームから再生するよう制御する手段を有する
情報処理装置。
【請求項１３】
複数の構成単位によりそれぞれ構成された複数のコンテンツを代表する各コンテンツ代表画像を第１の方向へ並べて表示するよう制御するステップと、
前記表示された各コンテンツ代表画像中から一のコンテンツ代表画像を選択する第１のユーザ操作を入力するステップと、
前記第１のユーザ操作が入力されたときに、前記一のコンテンツの前記各構成単位を代表する各構成単位代表画像を、前記一のコンテンツ代表画像を始点として前記第１の方向とは異なる第２の方向へ並べて表示するよう制御するステップと
を具備する表示方法。
【請求項１４】
情報処理装置に、
複数の構成単位によりそれぞれ構成された複数のコンテンツを代表する各コンテンツ代表画像を第１の方向へ並べて表示するよう制御するステップと、
前記表示された各コンテンツ代表画像中から一のコンテンツ代表画像を選択する第１のユーザ操作を入力するステップと、
前記第１のユーザ操作が入力されたときに、前記一のコンテンツの前記各構成単位を代表する各構成単位代表画像を、前記一のコンテンツ代表画像を始点として前記第１の方向とは異なる第２の方向へ並べて表示するよう制御するステップと
を実行させるためのプログラム。
【手続補正２】
【補正対象書類名】明細書
【補正対象項目名】００１３
【補正方法】変更
【補正の内容】
【００１３】
上記第１のユーザ操作は、例えばリモートコントローラの十字キー等で上記コンテンツ代表画像にマーカーを合わせる、若しくはマーカーを合わせた上でリモートコントローラの決定キーを押下する等の操作で実現され、また上記第２のユーザ操作は、例えばリモートコントローラにより上記一の構成単位代表画像に十字キー等でマーカーを合わせた上で決定キーを押下する等の操作で実現される。これにより、ユーザは例えばリモートコントローラによりマーカーを同一画面上でマーカーを移動させ押下操作を行うのみで、一のコンテンツの一の構成単位の再生までの操作を容易に行なうことができる。
【手続補正３】
【補正対象書類名】明細書
【補正対象項目名】００１４
【補正方法】変更
【補正の内容】
【００１４】
上記情報処理装置において、前記コンテンツは複数のフレームで構成された動画像であり、前記構成単位は前記動画像を複数の区間に区分けするチャプターであり、前記構成単位代表画像は前記各チャプターの先頭フレームのサムネイル画像であり、前記第２の表示制御手段は、前記チャプターを前記第２の方向へ時系列順に表示するよう制御し、前記再生制御手段は、前記第２のユーザ操作が入力されたときに、前記選択された一のチャプターの動画像を前記先頭フレームから再生するよう制御するようにしても構わない。
【手続補正４】
【補正対象書類名】明細書
【補正対象項目名】００１８
【補正方法】変更
【補正の内容】
【００１８】
上記情報処理装置において、前記第２の表示制御手段は、前記各構成単位代表画像を前記第２の方向へ進むに従って縮小して表示するよう制御するようにしても構わない。
【手続補正５】
【補正対象書類名】明細書
【補正対象項目名】００２０
【補正方法】変更
【補正の内容】
【００２０】
上記情報処理装置において、前記第２の表示制御手段は、前記動画像の総再生時間中に占める前記各チャプターの各時間間隔を前記各サムネイル画像間の距離に反映させて当該各サムネイル画像を表示するよう制御するようにしても構わない。
【手続補正６】
【補正対象書類名】明細書
【補正対象項目名】００２６
【補正方法】変更
【補正の内容】
【００２６】
上記情報処理装置において、前記各コンテンツは放送された動画像であり、当該情報処理装置は、前記放送された各動画像を受信する受信手段と、前記受信された各動画像を所定の条件で前記複数のチャプターに区分けするための区分け手段と、前記複数のチャプターに区分けされた動画像を記録する記録手段と、前記各動画像を代表する各動画像代表画像及び前記区分けされた当該各動画像の各チャプターを代表する各チャプター代表画像を記憶する記憶手段とを更に具備していてもよい。
【手続補正７】
【補正対象書類名】明細書
【補正対象項目名】００６５
【補正方法】変更
【補正の内容】
【００６５】
次に、グラフィックコントローラ１３は、上記マーカー５５がビデオコンテンツ中のコンテンツ代表画像５４に合わせられた状態で、ユーザから当該コンテンツを選択する上記決定キーの押下操作が入力されたか否かを判別する（ステップ３７）。当該決定キーの押下操作が入力された場合（ステップ３７のＹｅｓ）には、記録再生装置１００は、ＨＤＤ７に記憶された所定のビデオコンテンツの各チャプターのチャプター代表画像等のチャプター情報を読み込む（ステップ３８）。そして、当該読み込んだチャプター情報を基に、上記コンテンツ代表画像５４を始点として、各チャプター代表画像５７の一群で構成されるチャプターバー５６を上記カテゴリーバー５１と略平行に表示させる（ステップ３９）。